(57)【特許請求の範囲】
【請求項１】
本体と、ベース部材と、蓋体とを有する飲料抽出装置であって、
前記本体内には、液体を貯液する第１の貯液タンクと、前記液体を加熱する加熱手段と、前記液体を送るポンプと、前記ポンプで送られる前記液体を貯液するとともに、注ぎ口を有する第２の貯液タンクと、を有し、
前記第２の貯液タンクは、前記注ぎ口と反対側の左右部分がそれぞれ前記第１の貯液タンク側に伸びて前記第１の貯液タンクの一部を囲み、
前記本体と前記ベース部材との間には傾斜手段を有し、
前記本体は、前記傾斜手段により前記ベース部材に対して前方向に所定角度傾斜することを特徴とする飲料抽出装置。
【請求項２】
前記第２の貯液タンクは、前記第１の貯液タンクより前方に位置し、前記第１の貯液タンクは、前記第２の貯液タンクより後方に位置することを特徴とする請求項１に記載の飲料抽出装置。
【請求項３】
前記傾斜手段は、前記本体を非傾斜位置方向に戻す戻り手段を有することを特徴とする請求項１または請求項２に記載の飲料抽出装置。
【請求項４】
本体と、ベース部材と、蓋体とを有する飲料抽出装置であって、
前記本体内には、液体を貯液する第１の貯液タンクと、前記液体を加熱する加熱手段と、前記液体を送るポンプと、前記ポンプで送られる前記液体を貯液するとともに、注ぎ口を有する第２の貯液タンクと、を有し、
前記第２の貯液タンクは、前記注ぎ口と反対側の左右部分がそれぞれ前記第１の貯液タンク側に伸びて前記第１の貯液タンクの一部を囲み、
前記本体と前記ベース部材との間には傾斜手段を有し、
前記注ぎ口は、水平面に対して上方に向かって所定角度傾斜し、
前記傾斜手段による前記本体の最大傾斜角度は、前記注ぎ口の前記所定角度より大きいことを特徴とする飲料抽出装置。
【発明の詳細な説明】
【技術分野】
【０００１】
本願発明は、少なくとも本体内に加熱液体を貯液する第１の貯液タンクと、加熱手段と、ポンプと、抽出液を貯液する第２の貯液タンクと、を収納してなる飲料抽出装置に関するものである。
【背景技術】
【０００２】
従来、例えば、図１８に記載されるお茶等の飲料抽出装置が知られている。その湯供給手段２１は、内部にヒーター２３を備えた湯タンク２２と、内部に冷却コイル６１を備えた冷却タンク５３と、ポンプ４７と、茶葉供給手段であるキャニスタ部１５と、漉し器１４等からなる抽出部１２等を有している。
【０００３】
そして、暖かいお茶を供給する場合には、湯タンク２２内の湯を給湯管２５、２７及びシャワーヘッド２８を介して漉し器１４に導入し、漉し器１４で茶葉からお茶を抽出し、抽出したお茶をカップ１９に供給することになる。
【０００４】
また、冷たいお茶を供給する場合には、シャワーヘッド２８より排出される湯を受入部４５で受け、受けた湯をポンプ４７で前段側熱交換部５０及び主熱交換部５１である冷却タンク５３内の冷却管５４に導き、冷却コイル６１で冷却し、冷却した冷水を冷水電磁弁４９及び供給管を介してカップ１９に供給することになる（特許文献１参照）。
【０００５】
ところで、上記従来例のものは業務用で図で示すように、暖かい湯タンク２２と冷たい冷却タンク５３とを横並びで配置するものであり、このようなものではお互いの熱影響を低減するためにどうしても所定距離離して配置する必要が生じ、すると全体が横方向に大型化するという弊害が生じることになる。
【０００６】
また、仮に上記従来例のような飲料抽出装置を小型化し、家庭用のものとすることができたとしても、コップにお茶等の抽出液を供給するには飲料抽出装置を持ち上げて供給することになるが、飲料抽出装置は重く使用者に負担をかけるとの新たな弊害が生じる。
【０００７】
即ち、上記従来例のような飲料抽出装置を家庭用に転用しようとしても小型化が難しいとともに、従来、小型で、且つコップへの注湯が容易な飲料抽出装置は提案されていない。
【先行技術文献】
【特許文献】
【０００８】
【特許文献１】特開２００７−２０２９４３号公報
【発明の概要】
【発明が解決しようとする課題】
【０００９】
本願発明の目的は、小型で、且つ抽出タンクからの抽出液の取り出しを容易にしてなる飲料抽出装置を提供することである。
【課題を解決するための手段】
【００１０】
上記目的を達成するため、本願発明は以下の構成を採用する。
【００１１】
請求項１に係る発明では、本体と、ベース部材と、蓋体とを有する飲料抽出装置であって、前記本体内には、液体を貯液する第１の貯液タンクと、前記液体を加熱する加熱手段と、前記液体を送るポンプと、前記ポンプで送られる前記液体を貯液するとともに、注ぎ口を有する第２の貯液タンクと、を有し、前記第２の貯液タンクは、前記注ぎ口と反対側の左右部分がそれぞれ前記第１の貯液タンク側に伸びて前記第１の貯液タンクの一部を囲み、前記本体と前記ベース部材との間には傾斜手段を有し、前記本体は、前記傾斜手段により前記ベース部材に対して前方向に所定角度傾斜する構成。
【００１２】
請求項２に係る発明では、請求項１に係る発明の構成に加え、前記第２の貯液タンクは、前記第１の貯液タンクより前方に位置し、前記第１の貯液タンクは、前記第２の貯液タンクより後方に位置する構成。
【００１３】
請求項３に係る発明では、請求項１または請求項２に係る発明の構成に加え、前記傾斜手段は、前記本体を非傾斜位置方向に戻す戻り手段を有する構成。
【００１４】
請求項４に係る発明では、本体と、ベース部材と、蓋体とを有する飲料抽出装置であって、前記本体内には、液体を貯液する第１の貯液タンクと、前記液体を加熱する加熱手段と、前記液体を送るポンプと、前記ポンプで送られる前記液体を貯液するとともに、注ぎ口を有する第２の貯液タンクと、を有し、前記第２の貯液タンクは、前記注ぎ口と反対側の左右部分がそれぞれ前記第１の貯液タンク側に伸びて前記第１の貯液タンクの一部を囲み、前記本体と前記ベース部材との間には傾斜手段を有し、前記注ぎ口は、水平面に対して上方に向かって所定角度傾斜し、前記傾斜手段による前記本体の最大傾斜角度は、前記注ぎ口の前記所定角度より大きい構成。
【発明の効果】
【００１５】
本体内に収容する部材を、液体を貯液する第１の貯液タンクと、液体を加熱する加熱手段と、液体を送るポンプと、ポンプで送られる液体を貯液する第２の貯液タンクにすることにより、本体全体を小型化することができる。
【００１６】
また、本体とベース部材との間に傾斜手段を設け、本体を、ベース部材に対して前方向に所定角度傾斜可能にすることにより、第２の貯液タンク内の抽出液の取り出しを容易にすることができる。
【００１７】
また、本願発明の飲料抽出装置は、第１の貯液タンクで沸かした湯を予め茶葉等が入れられた第２の貯液タンクに送って第２の貯液タンク内で茶葉等からお茶等を抽出することになるが、その場合、第１の貯液タンクを第２の貯液タンクより後方に配置し、第２の貯液タンクを第１の貯液タンクより前方に配置し、第２の貯液タンク内の抽出液を取り出す際に本体の前方側に重心を移動している。そのため、小さな力で本体を前方側へ傾斜させることができるようになり、抽出液のコップへの注湯を容易にすることができる。
【００１８】
また、傾斜手段は、本体を非傾斜位置である立設位置方向に戻す戻り手段を設けることにより、傾斜させる力の解除時、本体を自動的に非傾斜位置である立設位置に戻したり、或いは本体を小さな力で非傾斜位置である立設位置に戻すことができる。
【００１９】
また、注ぎ口を水平面に対して上方に向かって所定角度傾斜させ、傾斜手段による本体の最大傾斜角度を注ぎ口の所定角度より大きくすることにより、本体の非傾斜位置である立設位置では注ぎ口からの抽出液の漏出を防止することができるとともに、本体を最大角度傾斜させることにより、第２の貯液タンク内の全抽出液の取り出しを容易に行うことができる。
【図面の簡単な説明】
【００２０】
【図１】飲料抽出装置を斜め上方から見た斜視図
【図２】図１のＡ−Ａ線断面図
【図３】湯タンクを斜め上方から見た斜視図
【図４】図３のＢ−Ｂ線断面図
【図５】抽出タンクを斜め上方から見た斜視図
【図６】図５のＣ−Ｃ線断面図
【図７】本体ケースを取り外した飲料抽出装置を前方よりの斜め上方から見た斜視図
【図８】本体ケースを取り外した飲料抽出装置を後方よりの斜め上方から見た斜視図
【図９】冷却手段を斜め上方から見た斜視図
【図１０】図９のＤ−Ｄ線断面図
【図１１】冷却手段のケーシングを取り外した状態を斜め上方から見た斜視図
【図１２】図１１のＥ−Ｅ線断面図
【図１３】本体ケース底面の非傾斜状態の傾斜手段を上方から見た概略斜視図
【図１４】ベース部材底面の非傾斜状態の戻り手段を下方から見た斜視図
【図１５】本体ケース底面の最大傾斜状態の傾斜手段を上方から見た概略斜視図
【図１６】ベース部材底面の最大傾斜状態の戻り手段を下方から見た斜視図
【図１７】蓋体を取り外した飲料抽出装置を斜め上方から見た斜視図
【図１８】従来の飲料抽出装置の概略図
【実施例】
【００２１】
図１、図２に本願発明の飲料抽出装置の全体斜視図及び断面図を示し、図３及び図４に第１の貯液タンクである湯タンクを示し、図５及び図６に第２の貯液タンクである抽出タンクを示し、図９乃至図１２に冷却手段を示し、図１３乃至図１６に傾斜手段及び戻り手段を示す。
【００２２】
本願発明の飲料抽出装置は、小型の飲料抽出装置、例えば、主として家庭用の飲料抽出装置であって、抽出液を抽出できるものであれば、例えば、お茶、紅茶、コーヒー或いはティーバッグ等のどのようなものでもよいが、以下においては、茶葉からお茶を抽出するものとして説明する。なお、注ぎ口４３を有する側を前方側とし、注ぎ口４３の反対側を後方側とし、前後方向に直交する側を左右方向側として説明する。
【００２３】
図１に示すように、飲料抽出装置１は、本体２と蓋体１５とベース部材２５を有する。前記本体２は、上方が開口する容器状のものであって、筒状の上部ケース３及び略半球状の下部ケース４である本体ケースを有する。そして、略半球状の下部ケース４の下部には後記する円弧状開口部５及び円弧状レール部６を有する。
【００２４】
下部ケース４には、後記冷却手段６０に送る空気を取り入れるための複数の空気取入口７が下方に形成され、空気を外部に排出するための空気排出口８が後方に形成される（図１３、１５等参照）。なお、上部ケース３及び下部ケース４は一体形成されるが、別体のものであってもよく、別体の場合はビス等で組み立てることになる。
【００２５】
前記本体２は、上部に肩部材９を有する。肩部材９は、上壁部１０及び抽出タンク収容部１１を有する。上壁部１０は、肩部材９より略蓋体１５の高さ分下方の位置で一体に形成される略水平な壁部であり、後方部には湯タンク３０の外周より若干大きな湯タンク用開口部１２（図１７参照）が開口する。
【００２６】
前記抽出タンク収容部１１は、湯タンク用開口部１２の前方側の部分と、湯タンク用開口部１２の前方側の略半円を囲む部分とを有する平面視略Ｃ字状で、且つ湯タンク３０（但し、底部の加熱部３３は除く）及び抽出タンク４０の高さとほぼ同じ深さを有する下方に窪んだ部分であり、抽出タンク４０が収容される。
【００２７】
なお、抽出タンク収容部１１の内形は、抽出タンク４０の外形より大きくされるが、一部の箇所の内面の大きさを抽出タンク４０の外面の大きさと同じか、或いは若干小さくしてもよい。このような形態にすることにより抽出タンク４０の収容時に、抽出タンク４０の前後及び左右方向の動きを規制して抽出タンク４０のがたつきを防止することができる。
【００２８】
前記蓋体１５は、上板１６及び下板１７を有し、上板１６及び下板１７間には蓋ロック部材１８が配設される。蓋ロック部材１８は、対向する２個の押圧部材１９、１９と、２個の押圧部材１９、１９間に介在する図示しないばねと、押圧部材１９、１９のそれぞれに形成される図示しない係止片を有する。
【００２９】
そして、開蓋時には、２個の押圧部材１９、１９がお互い近づくようにばねの力に抗して中央方向に押圧して、押圧部材１９、１９のそれぞれの係止片と肩部材９の係止溝９ａ、９ａ（図１７参照）との係合を解除し、蓋体１５を上方に持ち上げて開蓋する。
【００３０】
閉蓋時には、蓋体１５を肩部材９の開口部の上に置いて押し下げると、押圧部材１９、１９は近づくように中央寄りに移動し、押圧部材１９、１９のそれぞれの係止片が肩部材９の係止溝９ａ、９ａに対向すると、ばねの戻り力によってそれぞれの係止片がそれぞれの係止溝９ａ、９ａに係合して閉蓋する。
【００３１】
前記下板１７の下面であって、湯タンク３０の外周に対向する位置には、環状のシール材２０が取り付けられ、環状のシール材２０のほぼ中央箇所には転倒防止弁２１が取り付けられており、湯タンク３０で発生する蒸気は、転倒防止弁２１の上方に形成される蒸気通路２２を介して上板１６に形成される蒸気口２３より外部に排出され、飲料抽出装置１が転倒すると、転倒防止弁２１が蒸気通路２２を閉鎖して、湯タンク３０内の湯が外部に流出するのを防止する。
【００３２】
蓋体１５の閉蓋時、下板１７は湯タンク３０及び抽出タンク４０を同時に覆うことになるが、その形態は、環状のシール材２０は湯タンク３０の上端に当接して湯タンク３０の内部を密閉する。
【００３３】
下板１７は抽出タンク４０の上部に若干の隙間を有して近接するが、接するか或いは若干押圧する形態でもよい。このような形態にすることにより、湯タンク３０からの液体の流出を防止するとともに、抽出タンク４０のがたつきを防止することができる。
【００３４】
前記ベース部材２５は、本体２を非傾斜状態である立設状態と傾斜状態とにするための載置部材であり、その上面には、下部ケース４の下面の略半球状の面が嵌入する略半球状の凹嵌部２６を有するとともに、該凹嵌部２６の後方寄りには、傾斜手段８０の一部である矩形状ガイド部材８１が取り付けられ、更にその底面には本体２の傾斜状態を立設状態にする戻り手段９０のスプリング９１が取り付けられる。
【００３５】
また、ベース部材２５の側壁には、スイッチボタン２７が設けられており、このスイッチボタン２７を押すことにより図示しない制御装置により、加熱手段である加熱部３３による液体の加熱、ポンプ７５による加熱液体の送付及び冷却手段６０による加熱液体の冷却が行われる。
【００３６】
図３及び図４に液体を貯液する第１の貯液タンクである湯タンク３０を示す。この湯タンク３０は、ステンレス或いはアルミ等の金属製で、上方開口の容器状のもので、その上端にフランジ部３１を有し、更に下端に、内部に加熱手段であるシーズヒーター３２を埋め込んでなる加熱部３３を有する。なお、加熱手段は、湯タンク３０内に挿入可能なヒーターでもよく、また、取出管３４の下流側に連結されるパイプ３５を加熱するようなヒーターであってもよい。
【００３７】
湯タンク３０の底部中央には取出管３４が一体に形成される（別体のものでもよい）とともに、この取出管３４とポンプ７５との間には樹脂製または金属製のパイプ３５が連結され、湯タンク３０内の液体をポンプ７５に送る。
【００３８】
湯タンク３０は、肩部材９の上壁部１０に形成される湯タンク用開口部１２の下面にビス等で取り付けられる（図２参照）。
【００３９】
その結果、閉蓋時には、環状のシール材２０が湯タンク３０の上端部に当接して内部を密閉することになる。湯タンク３０は、上端部での支持であり、下端部は浮いた状態になり、下方への熱の伝達を低減する。そして、湯タンク３０内に水が入れられると、水は取出管３４及びパイプ３５を介してポンプ７５近傍に至る。そして、ポンプ７５が駆動するとその作用によって下流側に送られる。
【００４０】
スイッチボタン２７がオンされると、図示しない制御装置によりシーズヒーター３２に通電され、湯タンク３０内の水は沸騰する。そして、図示しない蒸気センサにより蒸気を検知してポンプ７５及び冷却ファン６７が駆動する。なお、ポンプ７５及び冷却ファン６７の駆動は、タイマーを用いてシーズヒーター３２に通電後の所定時間経過後に行うようにしてもよい。また、湯タンク３０内の水を沸騰させることにより水の中に含まれるカルキや塩素等を低減することができる。
【００４１】
図５及び図６に液体を貯液する第２の貯液タンクである抽出タンク４０を示す。この抽出タンク４０は、容器部４１及び蓋部４２からなる平面視略Ｃ字状で且つ樹脂製のものである。
【００４２】
前記容器部４１は、上部が開口する容器状の部分で、前方側には内部に連通する注ぎ口４３が一体に形成されるとともに、根本部には、茶葉の流出を防止する複数の開口からなる漉し部４４を有する。そして、図６に示すように、注ぎ口４３は、水平面に対し上方に向かって所定角度α、例えば３５度上方に傾斜している。
【００４３】
また、容器部４１は、前方側空間部４５及び後方側空間部４６を有する。前方側空間部４５は平面視左右方向に細長い略矩形状の部分であり、その底部は、注ぎ口４３と同様に水平面に対し所定角度α、例えば３５度上方に傾斜している。
【００４４】
前記後方側空間部４６は、前方側空間部４５の左右後方側からそれぞれ後方に延びる部分であり、その対向する内面で、湯タンク３０の半外周を囲むように湾曲している。そして、その底面は水平である。
【００４５】
このように前方側空間部４５の後方に後方側空間部４６を形成することにより容器部４１の容量を大きくすることができる。因みにこの例では、抽出タンク４０の容量を湯タンク３０の容量より大きくしている。例えば湯タンク３０を２５０ｃｃにし、容器部４１を例えば３５０ｃｃとしている。
【００４６】
このような形態にすることにより、湯タンク３０の沸騰した全湯を茶葉が入れられている容器部４１に入れたとしても容器部４１から湯があふれることがなくなる。例えば、同じ茶葉から２回抽出する場合、１回目の抽出により茶葉が水分を含んで容量及び重量が増大するが、そのような場合であっても容器部４１から湯があふれることがなくなる。
【００４７】
また、注ぎ口４３及び抽出タンク４０の一部底部、即ち、容器部４１の一部底部を図６に示すように同じ角度に一直線上に傾斜させることにより本体２の傾斜時、即ち注茶時に、容器部４１内の全ての抽出液の排出を良好にすることができる。
【００４８】
なお、本体２の傾斜時に容器部４１内の全抽出液の排出が良好に行われるのであれば、傾斜領域は注ぎ口４３のみであってもよいし、注ぎ口４３及び容器部４１の全てであってもよく、また注ぎ口４３の傾斜は、直線状以外、例えば若干の円弧状または若干の曲線状等であってもよい。しかし、注ぎ口４３のみの傾斜にすると注ぎ口４３を下げて容器部４１の下端に取り付ける必要があり、また、容器部４１全体を傾斜させると後方側空間部４６が下方に長く垂下するとの弊害が生じる。
【００４９】
前記蓋部４２は、容器部４１の上端開口を閉蓋するもので、平面視形状は容器部４１とほぼ同様である。そして、蓋部４２の前方の左右側及び後方の左右側には計４個の締結部材４７、４７、４７、４７を有し、この締結部材４７、４７、４７、４７の先端の係止片を容器部４１の図示しない係止溝に係合することにより、容器部４１に蓋部４２を締結することになる。
【００５０】
また、蓋部４２には、蓋部４２を持ち上げるための摘み４８、４８及び冷却手段６０によって冷却した液体を導入するための導入口４９が一体に形成されており、この導入口４９に導入管５０（図２参照）が連結され、この導入管５０を介して冷却手段６０によって冷却された湯が導入される。
【００５１】
飲料抽出装置１の使用時には、蓋体１５を取り外し（図１７参照）、湯タンク３０内に水を入れ、抽出タンク４０を取り出し、蓋部４２を外して容器部４１内に直接茶葉（ティーバッグでもよい。）を入れ、蓋部４２で閉蓋し、元の位置にセットすることになる。
【００５２】
セット後、抽出タンク４０内に冷却手段６０によって冷却された湯が導入され、導入された適温の湯により茶葉から抽出液が抽出されるため、本体２を前方側に傾斜させて、抽出タンク４０内の抽出液、即ちお茶を注ぎ口４３からコップに入れることになる。
【００５３】
なお、抽出タンク４０を容器部４１と蓋部４２の２部材とするとともに、抽出タンク収容部１１に対して着脱自在にすることにより、茶葉の取り出し並びに内部の洗浄が容易になり利便性が向上する。
【００５４】
本体２内に湯タンク３０と抽出タンク４０がセットされると、図２に示すように、両タンクは、横方向、即ち、前後方向に近接して対向するようになる。その対向する位置は、例えば図２に示すように、飲料抽出装置１の中心線Ｈ−Ｈを挟んで前後方向になる位置が好ましい。前後方向に対向する形態により前後方向の重量バランスをより良好にすることができる。
【００５５】
上記のように、本体２内に湯タンク３０と抽出タンク４０とを横方向、即ち、前後方向に対向することにより、湯タンク３０内の熱で抽出タンク４０が暖められることになり、抽出タンク４０内に導入する冷却手段６０によって冷却された湯の温度が急激に低下する弊害が防止される。
【００５６】
図９乃至図１２に湯タンク３０による沸騰水を冷却するための冷却手段６０を示す。お茶等にはいろいろな種類があり、例えば、玉露は５０〜６０度位の温度の湯で抽出するのがよいといわれている。この冷却手段６０は、茶葉に適した所定の温度の湯、例えば、５０〜６０度位の温度の湯を抽出タンク４０に供給し、おいしいお茶を提供できるようにするものであり、例えばケーシング６１及び冷却部ユニット６６を有するユニット状のものである。
【００５７】
前記ケーシング６１は、冷却手段６０の外郭を形成する樹脂製で一体形成されるもので、前後方向の貫通空間６４を有するとともに、平面視円形で且つ略水平な上壁部６２を有する。また、上壁部６２の外周には上下方向に立設する形態の環状フランジ６３が一体形成されている。
【００５８】
そして、本体２内に冷却手段６０が設置されると、図２に示すように環状フランジ６３は本体２の上下方向の略中央にて本体２の内面に当接する形態で位置し、ケーシング６１は本体２の底部から挿入される複数のビスにより固定される。このような形態にすることにより、冷却手段６０の取付を容易にすることができるとともに、がたつきを防止することができる。
【００５９】
ケーシング６１の前後方向の貫通空間６４には、冷却部ユニット６６が装着される。冷却部ユニット６６は、冷却ファン６７、冷却フィン６８、冷却コイル６９及び筒状ガイド部材７０を有し、前後方向に配列される。
【００６０】
前記冷却ファン６７は、冷却部ユニット６６の前方に配置され、前方から空気を吸い込み後方に送るとともに、後方に送る際に冷却コイル６９を冷却する。
【００６１】
冷却ファン６７の軸方向の後方には、筒状ガイド部材７０が配置される。筒状ガイド部材７０は、前端が閉鎖し、後端が開放する容器状の部材で、後端の外周には、図８に示すように、半径方向に延び且つ放射方向に略等間隔に配置される複数の固定羽根７１を有し、隣り合う固定羽根７１間に複数の排出口７２を有する。
【００６２】
筒状ガイド部材７０の外周には、冷却コイル６９が配置される。冷却コイル６９は、コイル状のアルミ製でこの例では７巻きのものを用いており、ポンプ７５によって送られる湯は、冷却コイル６９の後方から冷却コイル６９内に導入され、冷却コイル６９内を通る間に所定温度、例えば、５０〜６０度に冷却されて冷却コイル６９の前方から導入管５０を介して抽出タンク４０内に送られる。
【００６３】
なお、前記ポンプ７５は、例えばダイヤフラムポンプであり、図７に示すようにケーシング６１の左側に前後方向に向く形態でケーシング６１に取り付けられ、パイプ３５内の湯を導入管５０を介して抽出タンク４０に送る。なお、図１１ではその位置を便宜的に示している。
【００６４】
前記冷却コイル６９の外周には、上下部を除いた位置にアルミ製の冷却フィン６８が配置される。冷却フィン６８は、図１１に示すように、上下方向に積層する形態で前後方向に複数個設けられており、各フィン間には冷却ファン６７からの冷却空気が前方から後方に向かって流れる。
【００６５】
前記冷却部ユニット６６は、上記した形態で組み立てられ、組み立てられた後には、ケーシング６１の前後方向の貫通空間６４内に前後方向に嵌入され、ビス等によりケーシング６１に固定される。
【００６６】
固定後においては、筒状ガイド部材７０の外周とケーシング６１の内周との間に冷却空間７８が形成されるとともに、この冷却空間７８に冷却コイル６９及び冷却フィン６８が位置する。なお、図７に上部ケース３及び下部ケース４である本体ケースを取り除いた状態を前方から見た斜視図を示し、図８に同じく上部ケース３及び下部ケース４である本体ケースを取り除いた状態を後方から見た斜視図を示す。
【００６７】
本体２内に冷却手段６０が取り付けられ冷却ファン６７が駆動すると、冷却ファン６７は、本体２の下方にある空気取入口７から空気を取り込み、取り込んだ空気を冷却空間７８に送り、冷却コイル６９内を流れる湯を所定温度に冷却する。なお、冷却コイル６９の大きさ及び巻き数、更には冷却ファン６７の回転速度またはポンプの電圧を変えることにより冷却温度を変えることができる。また、熱い温度の湯のみを抽出する飲料抽出装置も考えられることを踏まえれば、上記冷却手段は必要に応じて省略可能である。
【００６８】
湯タンク３０及び抽出タンク４０と、冷却手段６０との間には、仕切り部材７９が配置される。仕切り部材７９は、金属製のほぼ円形の遮熱部材であり、湯タンク３０及び抽出タンク４０と、冷却手段６０との間に略水平に配置され、湯タンク３０及び抽出タンク４０のと、冷却手段６０とがお互い熱影響を受けにくくしている。そのため、湯タンク３０及び抽出タンク４０の温度低下を低減することができるとともに、冷却手段６０の冷却効率を高めることができる。
【００６９】
なお、ケーシング６１の上壁部６２も一種の仕切り部材であり、この例においては、上壁部６２と仕切り部材７９との上下二重構造により仕切り構造をなしている。このような仕切り構造により遮熱効果をより高めることができる。
【００７０】
上記のように、湯タンク３０及び抽出タンク４０を上方に横並びで配置し、冷却手段６０を下方に配置することにより、前後及び上下の重量バランスを良好にすることができるとともに、温度が高いものが上に位置し、温度が低いものが下に位置することにより、お互いの熱影響が低減するとともに、間に仕切り部材７９を設けることにより、お互いの熱影響がより低減する。なお、熱い温度の湯でお茶を抽出する場合は冷却ファン６７を作動させないようにする。
【００７１】
お茶抽出までの作用について説明する。まず、蓋体１５を開蓋して、湯タンク３０内に所定量の水、例えば一人分である約２００ｃｃ入れ、更に抽出タンク４０に必要な量の茶葉を入れた後に蓋体１５を閉蓋する。
【００７２】
次いで、スイッチボタン２７をオンする。すると、図示しない制御装置により加熱部３３が加熱されて湯タンク３０内の水は沸騰する。その沸騰は図示しない蒸気センサで検知され、その検知信号を受ける制御装置によりポンプ７５及び冷却ファン６７が駆動される。
【００７３】
すると、沸騰した湯は、ポンプ７５の作用で冷却コイル６９に送られ、所定温度に冷却される。冷却された湯は、導入管５０を介して抽出タンク４０に送られ、抽出タンク４０内の茶葉からお茶を抽出する。そのお茶は本体２が傾斜されるまで抽出タンク４０内に留まることになる。
【００７４】
次に、本体２を傾斜させる傾斜手段８０について説明する。ところで、本願発明の飲料抽出装置１は、小型のもの、例えば主として家庭用のものを対象にしており、抽出タンク４０で抽出したお茶を取り出す場合、飲料抽出装置１を持ち上げて注ぐことも可能であるが、湯をも含むため重量は重くなり使用者に負担を掛けることになる。
【００７５】
傾斜手段８０は、そのような負担を軽減するものである。上記したように、飲料抽出装置１は、湯タンク３０を上方且つ後方側に配置し、抽出タンク４０を上方且つ前方側に配置するとともに、冷却手段６０を必要に応じて下方に配置するものである。
【００７６】
そのため、湯タンク３０での湯沸かし時である非傾斜時には本体２の重心は、本体２の上方後方側にあり立設状態を維持し易い状態になるが、抽出タンク４０での抽出時には、湯タンク３０内の全湯は抽出タンク４０に移動しており、本体２の重心は、本体２の上方前方側に移動しており、前方側に傾斜し易い状態になっている。
【００７７】
その結果、傾斜手段８０による本体２の前方側への傾斜は、小さな力で行うことができるようになる。即ち、湯タンク３０及び抽出タンク４０の位置及び傾斜手段８０の位置からなる構造と、傾斜構造とは傾斜をより良好にするためのものである。
【００７８】
図１３に非傾斜状態、即ち、通常の立設状態での傾斜手段８０の概略を示し、図１５に傾斜状態での傾斜手段８０の概略を示す。傾斜手段８０は、上記した本体２側の円弧状開口部５及び円弧状レール部６と、ベース部材２５側の矩形状ガイド部材８１とを有する。
【００７９】
下部ケース４であるが、半球状の下部ケース４の下部には、前後方向に開口した１個の円弧状開口部５を有する。この円弧状開口部５は、前後方向に開口し、平面視細長い矩形状で、側面視円弧状の開口部である。
【００８０】
また、この円弧状開口部５の左右両側の下部ケース４には、円弧状開口部５に沿ってそれぞれ同形の円弧状レール部６を有する。この２個の円弧状レール部６は、左右方向に対向し、円弧状開口部５の前後長とそれぞれ同じ長さで、円弧状開口部５の左右端からそれぞれ同じ若干長さ（数ｍｍ）下方に凹み、左右方向のそれぞれの幅は同じで且つ円弧状開口部５の幅より短く、それぞれ平面視細長い矩形状で、側面視円弧状で円弧状開口部５の側面に平行のものである（図１３、１５参照）。
【００８１】
ベース部材２５の凹嵌部２６の後方側には、傾斜手段の一部である矩形状ガイド部材８１が上方から取付部材、例えば、図１３に示すように４本のビス８５〜８５でベース部材２５に固定される。
【００８２】
この矩形状ガイド部材８１は、矩形状の樹脂製または金属製（例えば、アルミニウム製）部材であり、短辺側を左右方向にし、長辺側を前後方向に配置する。そして、短辺側の長さは円弧状開口部５の左右幅より若干短くされ、長辺側の長さは円弧状開口部５の前後長さより短くされている。
【００８３】
また、矩形状ガイド部材８１の前方側の左右側面及び後方側の左右側面には、それぞれ細径の軸８３が左右方向に突出する形態で取り付けられるとともに、これら４個の軸８３〜８３にはそれぞれローラー８２が回転自在に取り付けられている。
【００８４】
矩形状ガイド部材８１の取り付けは以下のように行われる。即ち、ベース部材２５の凹嵌部２６の上に略半球状の下部ケース４を置く。次いで、下部ケース４の上から矩形状ガイド部材８１を、下部ケース４の円弧状開口部５に入り込み且つ締結可能な所定位置になるように置く。
【００８５】
すると、矩形状ガイド部材８１は、円弧状開口部５の後方側内に嵌入する形態で位置し、４個のローラー８２〜８２は下部ケース４の左右の円弧状レール部６、６の上方に位置する。そのような位置になった後、矩形状ガイド部材８１を４本のビス８５〜８５でベース部材２５に固定することになる。
【００８６】
矩形状ガイド部材８１を４本のビス８５〜８５でベース部材２５に固定すると、矩形状ガイド部材８１の後端部８１ａは円弧状開口部５の後端部５ａに当接して本体２が後方側に傾斜するのを防止する。即ち、本体２を立設状態に保持する。
【００８７】
また、ローラー８２のそれぞれは左右の円弧状レール部６、６のそれぞれに対して近接状態、即ち、本体２が前方側に傾斜する際、ローラー８２が円弧状レール部６で回転し、本体２の前方側への傾斜を容易にする状態になる。
【００８８】
上記のように、傾斜手段８０は、本体２とベース部材２５との連結手段と、本体２の傾斜を兼用する部材であり、このような形態により傾斜手段８０の構造を簡略化することができる。
【００８９】
図１５に本体２を前方側に最大限傾斜した状態を示す。即ち、図１３の状態から本体２を前方側に傾けると下部ケース４の円弧状開口部５は、矩形状ガイド部材８１にガイドされながら後方側に最大長さＳ（図１３参照）移動し、図１５の傾斜状態、即ち、注茶状態になる。
【００９０】
上記したように、抽出タンク４０からの抽出時には、湯タンク３０内の全湯は抽出タンク４０に移動しており、本体２の重心は、本体２の上方前方側に移動しているため、本体２の前方側への傾斜は、小さな力で行うことができる。
【００９１】
即ち、本体２をベース部材２５に対して前方向に所定角度傾け、本体２が最大長さＳ前方側に傾くと矩形状ガイド部材８１の前端部８１ｂは円弧状開口部５の前端部５ｂに当接して本体２が更に前方側に傾斜するのを防止し、本体２を傾斜状態に保持する。即ち、円弧状開口部５の前端部５ｂ及び後端部５ａはそれぞれ位置決め部を兼用する。
【００９２】
そして、傾斜手段８０による本体２の最大傾斜角度である最大移動長さＳは、注ぎ口４３の所定角度（例えば３５度）より大きくされている（例えば４０度）。このように傾斜手段８０による本体２の最大傾斜角度を、注ぎ口４３の所定角度より大きくすることにより、本体２の最大傾斜時に注ぎ口４３の先端が水平面より下方になって抽出タンク４０内の抽出液の取り出しが容易になるとともに、抽出タンク４０内の全抽出液を確実に取り出すことができる。
【００９３】
図１４に非傾斜状態での戻り手段９０を示し、図１６に傾斜状態での戻り手段９０を示す。戻り手段９０は、コイルスプリング９１と、このコイルスプリング９１を取り付けるベース部材突部９２及び下ケース突部９３とからなる。
【００９４】
ベース部材突部９２は、ベース部材２５の前方側の左右に設けられる下方に突き出た２個の部分であり、下ケース突部９３は、下部ケース４の中央側の左右に設けられる下方に突き出た２個の部分であり、２個のベース部材突部９２と２個の下ケース突部９３のそれぞれの左右方向の幅はほぼ同じである。
【００９５】
そして、左右それぞれのベース部材突部９２と下ケース突部９３とにはそれぞれコイルスプリング９１の端部が連結され、左右それぞれのベース部材突部９２と下ケース突部９３との間には１個づつコイルスプリング９１が介在する。
【００９６】
コイルスプリング９１、９１の介在は、非傾斜時では図１４に示すように多少の引っ張り力が生じる長さの短い状態であり、この引っ張り力により本体２を後方側に引っ張って立設状態を維持し、最大傾斜時では図１６に示すようにより大きな引っ張り力が生じる長さの長い状態になり、この大きな引っ張り力により本体２を後方側により強い力で引っ張って立設状態に戻そうとする。
【００９７】
この例では、傾斜させた本体２から手を離した状態で、自動的に戻るようにコイルスプリング９１のばね力を設定しており、傾斜させた本体２から手を離すと本体２は自動的に立設状態に戻る。しかし、手で軽く戻すことにより戻るようなばね力にしてもよい。いずれにしても、このような戻り手段９０を設けることにより、飲料抽出装置１の利便性をより高めることができる。
【００９８】
本願発明は、上記実施例の構成に限定されるものではなく、発明の要旨を逸脱しない範囲において適宜設計変更可能であり、例えば、上記冷却手段６０はコイル状のものに変えて、例えば、ペルチェ効果を奏する熱電素子を用いる冷却手段（例えば、特開平８−１３１３３４号公報参照）でもよい。
【符号の説明】
【００９９】
１  飲料抽出装置                  ２  本体
３  上部ケース                    ４  下部ケース
５  円弧状開口部                  ５ａ  後端部
５ｂ  前端部                      ６  円弧状レール部
７  空気取入口                    ８  空気排出口
９  肩部材                        ９ａ  係止溝
１０  上壁部                      １１  抽出タンク収容部
１２  湯タンク用開口部            １５  蓋体
１６  上板                        １７  下板
１８  蓋ロック部材                １９  押圧部材
２０  シール材                    ２１  転倒防止弁
２２  蒸気通路                    ２３  蒸気口
２５  ベース部材                  ２６  凹嵌部
２７  スイッチボタン              ３０  湯タンク
３１  フランジ部                  ３２  シーズヒーター
３３  加熱部                      ３４  取出管
３５  パイプ                      ４０  抽出タンク
４１  容器部                      ４２  蓋部
４３  注ぎ口                      ４４  漉し部
４５  前方側空間部                ４６  後方側空間部
４７  締結部材                    ４８  摘み
４９  導入口                      ５０  導入管
６０  冷却手段                    ６１  ケーシング
６２  上壁部                      ６３  環状フランジ
６４  貫通空間                    ６６  冷却部ユニット
６７  冷却ファン                  ６８  冷却フィン
６９  冷却コイル                  ７０  筒状ガイド部材
７１  固定羽根                    ７２  排出口
７５  ポンプ                      ７８  冷却空間
７９  仕切り部材                  ８０  傾斜手段
８１  矩形状ガイド部材            ８１ａ  後端部
８１ｂ  前端部                    ８２  ローラー
８３  軸                          ８５  ビス
９０  戻り手段                    ９１  スプリング
９１  コイルスプリング            ９２  ベース部材突部
９３  下ケース突部                ８１ａ  後端部
８１ｂ  前端部
【図１】
0006477141.tif 000002
【図２】
0006477141.tif 000003
【図３】
0006477141.tif 000004
【図４】
0006477141.tif 000005
【図５】
0006477141.tif 000006
【図６】
0006477141.tif 000007
【図７】
0006477141.tif 000008
【図８】
0006477141.tif 000009
【図９】
0006477141.tif 000010
【図１０】
0006477141.tif 000011
【図１１】
0006477141.tif 000012
【図１２】
0006477141.tif 000013
【図１３】
0006477141.tif 000014
【図１４】
0006477141.tif 000015
【図１５】
0006477141.tif 000016
【図１６】
0006477141.tif 000017
【図１７】
0006477141.tif 000018
【図１８】
0006477141.tif 000019